(57)【要約】【課題】遮光材の効果を十分に発揮でき、ぼけることなく鮮明な表示画像が得られるカラー情報表示用パネル、カラーフィルターを平坦化するに要する工数をなくして得ることができるカラー情報表示用パネルの製造方法およびカラー情報表示用パネルを提供する。【解決手段】白黒表示できる情報表示用パネルの透明基板側に少なくとも三原色カラーフィルターを配置した構成のカラー情報表示用パネルの製造方法であって、透明電極が形成された無色透明な表示面側基板２の透明電極６が形成されていない方の面に、遮光材１４をリブ状に形成した後、三原色カラーフィルター１２Ｒ、１２Ｇ、１２ＢＬが形成されたカラーフィルターフィルム１３を、カラーフィルター面に無色透明な接着剤１５を用いて貼り合せ、遮光材と三原色カラーフィルターとが同じ層であって透明基板外側に配置される積層構造としたカラーフィルター基板を用いる。【選択図】図３
2010145532.tif 000002
【特許請求の範囲】
【請求項１】
少なくとも一方が透明な対向する２枚の電極付き基板間に形成された空間に、白色表示媒体および黒色表示媒体を配置し、表示媒体を移動させて情報画像を白黒で表示する情報表示用パネルの透明基板側に少なくとも三原色カラーフィルターを配置した構成のカラー情報表示用パネルの製造方法であって、透明電極が形成された無色透明な表示面側基板の透明電極が形成されていない方の面に、遮光材をリブ状に形成した後、三原色カラーフィルターが形成されたカラーフィルターフィルムを、カラーフィルター面に無色透明な接着剤を用いて貼り合せ、遮光材と三原色カラーフィルターとが同じ層であって透明基板外側に配置される積層構造としたカラーフィルター基板を用いたことを特徴とするカラー情報表示用パネルの製造方法。
【請求項２】
少なくとも一方が透明な対向する２枚の電極付き基板間に形成された空間に、白色表示媒体および黒色表示媒体を配置し、表示媒体を移動させて情報画像を白黒で表示する情報表示用パネルの透明基板側に少なくとも三原色カラーフィルターを配置した構成のカラー情報表示用パネルの製造方法であって、前記白黒で情報画像を表示する情報表示用パネルの表示面側基板の外側の面に、遮光材をリブ状に形成した後、三原色カラーフィルターが形成されたカラーフィルターフィルムを、カラーフィルター面に無色透明な接着剤を用いて貼り合せ、遮光材と三原色カラーフィルターとが同じ層であって透明基板外側に配置される積層構造としたことを特徴とするカラー情報表示用パネルの製造方法。
【請求項３】
前記遮光材が、黒色遮光材であるか、白色遮光材であるか、または、黒色遮光材と白色遮光材とを組み合せた遮光材であるかのいずれかであることを特徴とする請求項１または２に記載のカラー情報表示用パネルの製造方法。
【請求項４】
前記遮光材を、所定の色で所定の厚さのレジストフィルムを積層後、露光、現像して所定リブ形状にするフォトリソ法で形成することを特徴とする請求項１〜３のいずれか１項に記載のカラー情報表示用パネルの製造方法。
【請求項５】
前記三原色カラーフィルターの三原色が、赤色（Ｒ）、緑色（Ｇ）、青色（Ｂ）であるか、または、シアン色（Ｃ）、マゼンタ色（Ｍ）、イエロー色（Ｙ）であるかのいずれかであることを特徴とする請求項１〜４のいずれか１項に記載のカラー情報表示用パネルの製造方法。
【請求項６】
カラーフィルター色として前記三原色の他に無色透明色（Ｔ）を設けたことを特徴とする請求項１〜５のいずれか１項に記載のカラー情報表示用パネルの製造方法。
【請求項７】
請求項１〜６のいずれか１項に記載したカラー情報表示用パネルの製造方法により製造したカラー情報表示用パネルであって、表示面側透明基板の厚さｔ１が２５μｍ〜２００μｍであり、かつ、三原色カラーフィルターと遮光材とが配置された層における三原色カラーフィルターと画素外周との間に間隔ｔ０を設け、その間隔ｔ０が、表示面側基板の厚さｔ１と、間隔を設ける位置と直角な位置に対応する四角形ドット画素辺の長さＬとの関係において、０．３×Ｌ≧ｔ０≧０．０２×ｔ１となる、画素よりも小面積のカラーフィルターが設けられていることを特徴とするカラー情報表示用パネル。
【請求項８】
白色表示媒体が、帯電性を有する白色粒子を含んだ粒子群として構成した白色表示媒体であり、黒色表示媒体が、前記白色粒子とは異なる極性の帯電性を有する黒色粒子を含んだ粒子群として構成した黒色表示媒体であることを特徴とする請求項７に記載のカラー情報表示用パネル。
【発明の詳細な説明】
【技術分野】
【０００１】
本発明は、少なくとも一方が透明な対向する２枚の基板間に白黒二種類の表示媒体を封入した構成の白黒表示方式ディスプレイパネルの観察側基板に配置した各色のカラーフィルターを介して、表示媒体によって表示された白黒の情報画像をカラー表示するようにしたカラー情報表示用パネルの製造方法およびカラー情報表示用パネルに関するものである。
【背景技術】
【０００２】
従来の液晶表示装置（ＬＣＤ）に代わる情報表示装置として、粒子等の表示媒体を用い、表示媒体からの反射光にて視認する技術を用いて紙に描かれたものを見るような視認性が得られる情報表示装置が提案されている。これらの技術は、ＬＣＤと比較すると、通常の印刷物に近い広い視野角が得られる、消費電力が小さい、メモリー機能を有している等のメリットがあることから、次世代の安価な情報表示装置に使用可能な技術として考えられており、携帯端末用情報表示装置、電子ペーパー型情報表示装置等への展開が期待されている。最近では、粒子移動方式（帯電粒子気体中移動方式、帯電粒子液体中電気泳動方式、帯電２色粒子回転方式等）のうち帯電性粒子を分散粒子として分散液とともにマイクロカプセルに封入し、これを対向する基板間に配置した構成の帯電粒子液体中電気泳動方式や、帯電性粒子を含んだ粒子群として構成した表示媒体を対向する基板間の気体空間に配置した構成の帯電粒子気体中移動方式が提案されている。
【０００３】
中でも、少なくとも一方が透明な対向する２枚の基板間に形成された空間に、少なくとも光学的反射率および帯電性を有する粒子を含んだ粒子群として構成した、互いに光学的反射率および帯電特性が異なる少なくとも２種類の表示媒体を封入し、表示媒体に電界を付与することによって、表示媒体を反転移動させて画像等の情報を表示する情報表示用パネルは、電源を切っても表示が残せるメモリー性があるため低消費電力型の表示デバイスとして期待されている。
【０００４】
上述した種々の情報表示装置においてカラー表示をさせるために、液晶ディスプレイ（ＬＣＤ）にカラーフィルターを組み合せたカラー型液晶ディスプレイが知られでおり（例えば、特許文献１参照）、上記反射型ディスプレイにカラーフィルターを組み合せたカラー型ディスプレイも知られている。また、白色表示媒体と黒色表示媒体とを用いた情報表示用パネルの表示面側基板にカラーフィルターが形成された構成のカラー型情報表示用パネルも知られている（例えば、特許文献２および３参照）。
【０００５】
【特許文献１】特開２００２−３０３７１６号公報
【特許文献２】特開２００７−３２２７８２号公報
【特許文献３】特開２００７−３２２７８４号公報
【発明の開示】
【発明が解決しようとする課題】
【０００６】
従来のカラー情報表示用パネルのうち、特許文献１に開示されているカラー型情報表示用パネルでは、表示面側基板の内側に、黒色遮光材（ブラックマトリックス）や白色遮光材（ホワイトマトリックス）およびカラーフィルター（Ｒ、Ｇ、Ｂ）を設けた後に平坦化層を配置し、その上に透明電極（透明導電膜）を形成していたので、工数が掛かり生産性の面で問題があった。
【０００７】
また、特許文献２および３に開示されているカラー型情報表示用パネルでは、表示面側基板の外側に、カラーフィルター（Ｒ、Ｇ、Ｂ）を形成してカラー情報表示用パネルを得ているが、黒色遮光材（ブラックマトリックス）や白色遮光材（ホワイトマトリックス）を設ける場合は隔壁と表示面側基板との間に配置され、カラーフィルターとは離れた位置にあるため画像を鮮明にする効果が発揮できずに表示画像がぼける問題があった。この場合も、形成したカラーフィルターを保護するための保護膜をカラーフィルターの上に配置する必要があり、これも工数が掛かる問題となっていた。
【０００８】
本発明の目的は上述した問題点を解消して、遮光材の効果を十分に発揮でき、ぼけることなく鮮明な表示画像が得られるカラー情報表示用パネルを、平坦化に要する工数をなくして得ることができるカラー情報表示用パネルの製造方法およびカラー情報表示用パネルを提供しようとするものである。
【課題を解決するための手段】
【０００９】
本発明のカラー情報表示用パネルの製造方法の第１発明は、少なくとも一方が透明な対向する２枚の電極付き基板間に形成された空間に、白色表示媒体および黒色表示媒体を配置し、表示媒体を移動させて情報画像を白黒で表示する情報表示用パネルの透明基板側に少なくとも三原色カラーフィルターを配置した構成のカラー情報表示用パネルの製造方法であって、透明電極が形成された無色透明な表示面側基板の透明電極が形成されていない方の面に、遮光材をリブ状に形成した後、三原色カラーフィルターが形成されたカラーフィルターフィルムを、カラーフィルター面に無色透明な接着剤を用いて貼り合せ、遮光材と三原色カラーフィルターとが同じ層であって透明基板外側に配置される積層構造としたカラーフィルター基板を用いたことを特徴とするものである。
【００１０】
本発明のカラー情報表示用パネルの製造方法の第２発明は、少なくとも一方が透明な対向する２枚の電極付き基板間に形成された空間に、白色表示媒体および黒色表示媒体を配置し、表示媒体を移動させて情報画像を白黒で表示する情報表示用パネルの透明基板側に少なくとも三原色カラーフィルターを配置した構成のカラー情報表示用パネルの製造方法であって、前記白黒で情報画像を表示する情報表示用パネルの表示面側基板の外側の面に、遮光材をリブ状に形成した後、三原色カラーフィルターが形成されたカラーフィルターフィルムを、カラーフィルター面に無色透明な接着剤を用いて貼り合せ、遮光材と三原色カラーフィルターとが同じ層であって透明基板外側に配置される積層構造としたことを特徴とするものである。
【００１１】
また、本発明のカラー情報表示用パネルの製造方法の第１発明および第２発明における好適例としては、遮光材が、黒色遮光材であるか、白色遮光材であるか、または、黒色遮光材と白色遮光材とを組み合せた遮光材であるかのいずれかであること、遮光材を、所定の色で所定の厚さのレジストフィルムを積層後、露光、現像して所定リブ形状にするフォトリソ法で形成すること、三原色カラーフィルターの三原色が、赤色（Ｒ）、緑色（Ｇ）、青色（Ｂ）であるか、または、シアン色（Ｃ）、マゼンタ色（Ｍ）、イエロー色（Ｙ）であるかのいずれかであること、カラーフィルター色として前記三原色の他に無色透明色（Ｔ）を設けたこと、がある。
【００１２】
本発明のカラー情報表示用パネルは、上述したカラー情報表示用パネルの製造方法により製造したカラー情報表示用パネルであって、表示面側透明基板の厚さｔ１が２５μｍ〜２００μｍであり、かつ、三原色カラーフィルターと遮光材とが配置された層における三原色カラーフィルターと画素外周との間に間隔ｔ０を設け、その間隔ｔ０が、表示面側基板の厚さｔ１と、間隔を設ける位置と直角な位置に対応する四角形ドット画素辺の長さＬとの関係において、０．３×Ｌ≧ｔ０≧０．０２×ｔ１となる、画素よりも小面積のカラーフィルターが設けられていることを特徴とするものである。
【００１３】
また、本発明のカラー情報表示用パネルの好適例としては、白色表示媒体が、帯電性を有する白色粒子を含んだ粒子群として構成した白色表示媒体であり、黒色表示媒体が、前記白色粒子とは異なる極性の帯電性を有する黒色粒子を含んだ粒子群として構成した黒色表示媒体であること、がある。
【発明の効果】
【００１４】
本発明によれば、画素用透明電極または画素用透明導電膜が形成された無色透明な表示面側基板の電極（導電膜）が形成されていない方の面に、黒色遮光材あるいは白色遮光材をリブ状に形成した後、カラーフィルターが形成されたカラーフィルターフィルムを、カラーフィルター面に無色透明な接着剤を用いて、カラーフィルター面および遮光材面を平坦化するとともに、表示面側パネル基板（透明基板）に貼り合せ、パネル内側から、画素用透明電極（画素用透明導電膜）／表示面側基板／遮光材およびカラーフィルター／カラーフィルターフィルム基材の順番となる積層構造とした表示面側基板を用いてカラー表示型情報表示用パネルを構成し、カラーフィルターと遮光材とは同じ層になる構造としたので、遮光材の効果を十分に発揮できるようになり、ぼけることなく鮮明な表示画像が得られるカラー情報表示用パネルを、従来のカラー情報表示用パネル製造で必要としていた平坦化に要する工数をなくして得ることができる。
【００１５】
また、本発明によれば、表示面側基板の厚さｔ１を、２５μｍ〜２００μｍ、好ましくは２５μｍ〜１００μｍとし、カラーフィルターと画素外周との間に間隔ができるようにカラーフィルターを配置したカラーフィルターフィルムを貼り合せるようにして、カラーフィルター層における各カラーフィルターと画素外周との間に間隔ｔ０を設け、その間隔ｔ０は、表示面側基板のの厚さｔ１と、間隔を設ける位置と直角な位置に対応する四角形ドット画素辺の長さＬとの関係において、０．３×Ｌ≧ｔ０≧０．０２×ｔ１となるように、画素よりも小面積のカラーフィルターを形成して設けたので、斜めから見るときでもカラーフィルターを通して隣の画素にある表示媒体からの反射光を見てしまうことがなくなり、混色が生じるという問題がなくなり、カラー表示画質が向上した。
【００１６】
さらに、本発明によれば、画素用電極が形成された表示面側基板の面とは反対側の面に遮光材を形成後にカラーフィルターフィルムを貼り合わせるので、遮光材に合わせて精度の良い位置あわせが容易にできるようになり生産性が向上した。また、白黒で情報画像を表示できる情報表示用パネル構造体とした後、表示面側基板の外側に遮光材を形成し、さらにカラーフィルターフィルムを貼り合わせてカラー情報表示用パネルとすることもできるようになった。
【００１７】
さらにまた、本発明によれば、カラーフィルターフィルムのフィルム基材がカラー情報表示用パネルの最外層になる構成であり、カラーフィルターがフィルムで保護された構造となり、カラーフィルターが損傷を受ける不具合がないカラー情報表示用パネルが容易に得られる。
【発明を実施するための最良の形態】
【００１８】
まず、本発明のカラー情報表示用パネルのカラーフィルターを設ける対象となる情報表示用パネルの構成について説明する。本発明の対象となる情報表示用パネルでは、対向する２枚の基板間に封入した帯電性粒子を含んだ粒子群として構成した表示媒体に電界が付与される。付与された電界方向に沿って、表示媒体が電界による力やクーロン力などによって引き寄せられ、表示媒体が電界方向の変化によって移動することにより、情報画像が表示される。従って、表示媒体が、均一に移動し、かつ、繰り返し表示情報を書き換える時あるいは表示情報を継続して表示する時の安定性を維持できるように、情報表示用パネルを設計する必要がある。ここで、表示媒体を構成する粒子にかかる力は、粒子同士のクーロン力により引き付けあう力の他に、電極や基板との電気鏡像力、分子間力、液架橋力、重力などが考えられる。
【００１９】
本発明のカラー情報表示用パネルとするためにカラーフィルターを設ける対象となる情報表示用パネルの例を、図１（ａ）、（ｂ）〜図２（ａ）、（ｂ）に基づき説明する。
【００２０】
図１（ａ）、（ｂ）に示す例では、負帯電性白色粒子３Ｗａを含んだ粒子群として構成した白色表示媒体３Ｗと正帯電性黒色粒子３Ｂａを含んだ粒子群として構成した黒色表示媒体３Ｂとの２種類の表示媒体を、隔壁４で形成された各セルにおいて、基板１に設けた電極５（ＴＦＴ付き画素電極）と基板２に設けた電極６（共通電極）とが対向して形成する画素電極対に電圧を印加することにより発生する電界に応じて、基板１、２と垂直に移動させる。そして、図１（ａ）に示すように白色表示媒体３Ｗを観察者に視認させて白色表示を、あるいは、図１（ｂ）に示すように黒色表示媒体３Ｂを観察者に視認させて黒色表示を、白黒ドットでマトリックス表示している。画素（ドット）とセルとを対応させ、セルに対応して三原色カラーフィルターを基板２側に配置すればカラー情報表示用パネルとなる。なお、図１（ａ）、（ｂ）において、手前にある隔壁は省略している。
【００２１】
図２（ａ）、（ｂ）に示す例では、負帯電性白色粒子３Ｗａを含んだ粒子群として構成した白色表示媒体３Ｗと正帯電性黒色粒子３Ｂａを含んだ粒子群として構成した黒色表示媒体３Ｂとの２種類の表示媒体を、隔壁４で形成された各セルにおいて、基板２に設けたライン電極６と基板１に設けたライン電極５とが対向直交交差して形成する画素電極対に電圧を印加することにより発生する電界に応じて、基板１、２と垂直に移動させる。そして、図２（ａ）に示すように白色表示媒体３Ｗを観察者に視認させて白色表示を、あるいは、図２（ｂ）に示すように黒色表示媒体３Ｂを観察者に視認させて黒色表示を、白黒ドットでマトリックス表示している。画素（ドット）とセルとを対応させ、セルに対応して三原色カラーフィルターを基板２側に配置さればカラー情報表示用パネルとなる。なお、図２（ａ）、（ｂ）において、手前にある隔壁は省略している。
上記した図１、図２において、基板間の各画素に対応する位置に黒色表示媒体と白色表示媒体とを絶縁液体と共に封入したマイクロカプセルを配置した構成にすることもできる。
【００２２】
次に、本発明のカラー情報表示用パネルの製造方法の一例を、図３（ａ）〜（ｃ）ないし図６（ａ）〜（ｃ）を参照して、説明する。
【００２３】
図３（ａ）〜（ｃ）はそれぞれ本発明の第１発明に係るカラー情報表示用パネルの製造方法の一例を説明するための図である。まず、図３（ａ）に示すように、無色透明なフィルムからなる透明フィルム基材１１に、各種の印刷法またはフォトリソ法でカラーフィルター１２Ｒ（赤色カラーフィルター）、１２Ｇ（緑色カラーフィルター）、１２ＢＬ（青色カラーフィルター）を形成する。各カラーフィルターは画素サイズに対応した所定サイズで設ける。透明フィルム基材１１としては、透明樹脂フィルムや透明ガラスフィルムを用いることができる。そして、透明フィルム基材１１の一表面の所定の一に所定サイズで、カラーフィルター１２Ｒ、１２Ｇ、１２ＢＬを形成した、カラーフィルターフィルム１３を得る。これとは別に、図３（ｂ）に示すように、パターニングされた透明導電膜で画素用電極とする透明電極６が形成された透明基板２の透明電極６とは反対側の面に、フォトリソ法でリブ状の黒色遮光材（ブラックマトリックス）１４を、透明電極６間の隙間に対応する位置の全てに形成する。その後、図３（ｃ）に示すように、カラーフィルターフィルム１３のカラーフィルター１２Ｒ、１２Ｇ、１２ＢＬ上に透明接着剤１５を配置して、このカラーフィルターフィルム１３を透明基板６のリブ状の黒色遮光材１４を設けた側に貼り合わせる。このとき、カラーフィルター１２Ｒ、１２Ｇ、１２ＢＬの間にリブ状の黒色遮光材１４が位置するが、図３（ｃ）に示すように、各カラーフィルター間および各カラーフィルターとリブ状の黒色遮光材との間には隙間を設けるよう構成する。
【００２４】
本例では、リブ状の黒色遮光材は画素間の隙間を埋めるように配置形成され、カラーフィルターは画素よりも小さくなるように形成する。さらに、図３（ｃ）に示すように、カラーフィルターと画素対応領域との隙間ｔ０は、透明基板２の厚さｔ１（２００μｍ≧ｔ１≧２５μｍ）と四角形画素の１辺の長さＬに対して、０．３×Ｌ≧ｔ０≧０．０２×ｔ１となるように形成する。ここで、ｔ０の値を０．３×Ｌ以下とするのは、０．３×Ｌより大きいと、画素サイズに対してカラーフィルターサイズが小さくなりすぎ、カラーフィルターとしてカラー発現効果が小さくなってしまう場合があるためである。また、ｔ０の値を０．０２×ｔ１以上とするのは、０．０２×Ｌ未満だと、角度を変えた時、カラー表示の視差が発現してしまう場合があるためである。
【００２５】
図４（ａ）〜（ｃ）はそれぞれ本発明の第２発明に係るカラー情報表示用パネルの製造方法の他の例を説明するための図である。図４（ａ）〜（ｃ）に示す例において、図３（ａ）〜（ｃ）に示す部材と同一の部材には同一の符号を付し、その説明を省略する。図４（ａ）〜（ｃ）に示す例において、図３（ａ）〜（ｃ）に示す例と異なる点は、黒色遮光材１４の代わりに白色遮光材１６を使用するとともに、白色遮光材１６をカラーフィルター１２Ｒ、１２Ｇ、１２ＢＬの間の全ての位置には設けずに、白色遮光材１６をカラーフィルター１２Ｒ、１２Ｇ、１２ＢＬの両端にのみ形成した点、および、白色表示媒体と黒色表示媒体とを用いて白黒ドットでマトリックス表示ができる情報表示用パネルの表示面側基板の外側に遮光材（ここでは白色遮光材）を形成した点、である。その他の構成、作用・効果は、図３（ａ）〜（ｃ）に示す例と同じである。
【００２６】
図５（ａ）〜（ｃ）はそれぞれ本発明の第１発明に係るカラー情報表示用パネルの製造方法の一例を説明するための図である。まず、図５（ａ）に示すように、無色透明なフィルムからなる透明フィルム基材１１に、各種の印刷法またはフォトリソ法でカラーフィルター１２Ｒ（赤色カラーフィルター）、１２Ｇ（緑色カラーフィルター）、１２ＢＬ（青色カラーフィルター）を形成する。各カラーフィルターは画素サイズに対応した所定サイズで設ける。そして、透明フィルム基材１１の一表面の所定の位置に所定のサイズで、カラーフィルター１２Ｒ、１２Ｇ、１２ＢＬを形成した、カラーフィルターフィルム１３を得る。これとは別に、図５（ｂ）に示すように、パターニングされた透明導電膜で画素用電極とする透明電極６が形成され、表示媒体を収納するセルを形成する隔壁１７が設けられた透明基板２の透明電極６とは反対側の面に、フォトリソ法で黒色遮光材（ブラックマトリックス）１４を、３箇所の連続した画素用透明電極６の両端に対応する位置に形成する。その後、図５（ｃ）に示すように、カラーフィルターフィルム１３のカラーフィルター１２Ｒ、１２Ｇ、１２ＢＬ上に透明接着剤１５を配置して、このカラーフィルターフィルム１３を透明基板６の黒色遮光材１４を設けた側に貼り合わせる。このとき、カラーフィルター１２Ｒ、１２Ｇ、１２ＢＬの周囲に黒色遮光材１４が位置するが、図５（ｃ）に示すように、各カラーフィルター間および各カラーフィルターと黒色遮光材との間には隙間を設けるよう構成する。
【００２７】
本例では、黒色遮光材は三原色ＲＧＢ３つのカラーフィルターが配置された３つの画素用電極で構成する１表示単位間の隙間を埋めるように配置形成され、各カラーフィルターは画素用電極よりも小さくなるように形成する。さらに、図５（ｃ）に示すように、カラーフィルターと画素対応領域との隙間ｔ０は、透明基板の厚さｔ１（２００μｍ≧ｔ１≧２５μｍ）と四角形画素の１辺の長さＬに対して、０．３×Ｌ≧ｔ０≧０．０２×ｔ１となるように形成する。ここで、ｔ０の値を０．３×Ｌ以下とするのは、０．３×Ｌより大きいと、画素サイズに対してカラーフィルターサイズが小さくなりすぎ、カラーフィルターとしてカラー発現効果が小さくなってしまう場合があるためである。また、ｔ０の値を０．０２×ｔ１以上とするのは、０．０２×Ｌ未満だと、角度を変えた時、カラー表示の視差が発現してしまう場合があるためである。
【００２８】
図６（ａ）〜（ｃ）はそれぞれ本発明の第１発明に係るカラー情報表示用パネルの製造方法の他の例を説明するための図である。図６（ａ）〜（ｃ）に示す例において、図５（ａ）〜（ｃ）に示す部材と同一の部材には同一の符号を付し、その説明を省略する。図６（ａ）〜（ｃ）に示す例において、図５（ａ）〜（ｃ）に示す例と異なる点は、黒色遮光材１４の代わりに白色遮光材１６を使用するとともに、リブ状白色遮光材１６をカラーフィルター１２Ｒ、１２Ｇ、１２ＢＬの間の両端のみに形成するのではなく、リブ状白色遮光材１６をカラーフィルター１２Ｒ、１２Ｇ、１２ＢＬ間の全ての位置に形成した点である。その他の構成、作用・効果は、図５（ａ）〜（ｃ）に示す例と同じである。
【００２９】
次に、表示面側のパネル基板６の外側にカラーフィルター１２Ｒ、１２Ｇ、１２ＢＬを配置するとともに内側に黒色遮光材１４を配置して、カラーフィルターと黒色遮光材とがパネル基板の垂直方向に離れた別々の層に存在する従来例と、表示面側のパネル基板６の外側であって同じ層にカラーフィルター１２Ｒ、１２Ｇ、１２ＢＬおよび黒色遮光材１４を配置した本発明例とを、斜めから見たときの表示状況について、比較して説明する。図７（ａ）、（ｂ）はそれぞれ従来例のカラー情報表示用パネルの一例および本発明例のカラー情報表示用パネルの一例を対比説明するための図である。従来例において斜めから見たときの不具合を説明する図７（ａ）から、黒色遮光材１４とカラーフィルター１２Ｒ、１２Ｇ、１２ＢＬとの位置関係が角度によって定まらず鮮明に見えないことがわかる。一方、本発明例において斜めから見た様子を説明する図７（ｂ）から、黒色遮光材１４とカラーフィルター１２Ｒ、１２Ｇ、１２ＢＬとの位置関係が角度に影響されないで鮮明に見えることがわかる。
【００３０】
次に、上述した本発明の情報表示用パネルの製造方法で作製される情報表示用パネルのパネル構成の一例について説明する。
【００３１】
図８（ａ）〜（ｃ）、図９（ａ）〜（ｃ）、図１０（ａ）、（ｂ）および図１０（ａ）、（ｂ）はそれぞれ本発明のカラー情報表示用パネルの製造方法で作製されるカラー情報表示用パネルのパネル構成の一例を説明するための図である。これらの図において、上述した図１（ａ）、（ｂ）〜図７（ａ）、（ｂ）に示した例と同一の部材には同一の符号を付し、その説明を省略する。
【００３２】
図８（ａ）〜（ｃ）に示す例において、図８（ａ）はカラー情報表示用パネルにおける１表示単位の平面を示し、図８（ｂ）は図８（ａ）におけるＡ−Ａ線に沿った断面を示し、図８（ｃ）は図８（ａ）におけるＢ−Ｂ線に沿った断面を示している。本例では、隔壁４のうち基板間ギャップ確保用部分４−１の内側に４個のセルを形成するセル形成用部分４−２を設けた１表示単位の例を示している。ライン電極５、６を直交交差させて形成した１個の電極対とカラーフィルターフィルム１３上の各色カラーフィルター１２Ｒ、１２Ｇ、１２ＢＬおよび透明フィルター１２Ｔとを対応させている。そして、ライン電極５を有する背面側パネル基板１側に隔壁４（基板間ギャップ確保用部分４−１およびセル形成部分４−２）を形成し、少なくとも隔壁４のうち基板間ギャップ確保用部分４−１で表示面側パネル基板２と接着剤２１で接合している。また、黒色遮光材１４は１２Ｒ／１２Ｇ／１２ＢＬ／１２Ｔ４色のカラーフィルターの周囲に設けている。
【００３３】
図９（ａ）〜（ｃ）に示す例において、図９（ａ）はカラー情報表示用パネルにおける１表示単位の平面を示し、図９（ｂ）は図９（ａ）におけるＡ−Ａ線に沿った断面を示し、図９（ｃ）は図９（ａ）におけるＢ−Ｂ線に沿った断面を示している。本例では、隔壁４のうち基板間ギャップ確保用部分４−１の内側に４個のセルを形成するセル形成用部分４−２を設けた１表示単位の例を示している。ライン電極５、６を直交交差させて形成した１個の電極対とカラーフィルターフィルム１３上の各色カラーフィルター１２Ｒ、１２Ｇ、１２ＢＬとを対応させている。そして、ライン電極６を有する表示面側パネル基板２側に隔壁４（基板間ギャップ確保用部分４−１およびセル形成部分４−２）を形成し、少なくとも隔壁４のうち基板間ギャップ確保用部分４−１で背面側パネル基板１と接着剤２１で接合している。また、白色遮光部材１６は１２Ｒ／１２Ｇ／１２ＢＬ／１２Ｔ４色のカラーフィルターの周囲に設けている。
【００３４】
図１０（ａ）、（ｂ）に示す例において、図１０（ａ）はカラー情報表示用パネルにおける１表示単位の平面を示し、図１０（ｂ）は図１０（ａ）におけるＡ−Ａ線に沿った断面を示す。本例では、隔壁４のうち基板間ギャップ確保用部分４−１の内側に３個の長方形セルを形成するセル形成用部分４−２を設けた１表示単位の例を示している。ライン電極５、６を直交交差させて形成した１個の電極対とカラーフィルターフィルム１３上の各色カラーフィルター１２Ｒ、１２Ｇ、１２ＢＬとを対応させている。そして、ライン電極５を有する背面側パネル基板１側に隔壁４（基板間ギャップ確保用部分４−１およびセル形成部分４−２）を形成し、少なくとも隔壁４のうち基板間ギャップ確保用部分４−１で表示面側パネル基板２と接着剤２１で接合している。また、黒色遮光材１４は１２Ｒ／１２Ｇ／１２ＢＬ３色カラーフィルターそれぞれの周囲に設けている。
【００３５】
図１１（ａ）、（ｂ）に示す例において、図１１（ａ）はカラー情報表示用パネルにおける１表示単位の平面を示し、図１１（ｂ）は図１１（ａ）におけるＡ−Ａ線に沿った断面を示す。本例では、隔壁４のうち基板間ギャップ確保用部分４−１の内側に３個の長方形セルを形成するセル形成用部分４−２を設けた１表示単位の例を示している。ライン電極５、６を直交交差させて形成した１個の電極対とカラーフィルターフィルム１３上の各色カラーフィルター１２Ｒ、１２Ｇ、１２ＢＬとを対応させている。そして、ライン電極５を有する背面側パネル基板１側に隔壁４（基板間ギャップ確保用部分４−１およびセル形成部分４−２）を形成し、少なくとも隔壁４のうち基板間ギャップ確保用部分４−１で表示面側パネル基板２と接着剤２１で接合している。また、白色遮光材１６は１２Ｒ／１２Ｇ／１２ＢＬ３色カラーフィルターそれぞれの周囲に設けている。
【００３６】
なお、図８〜図１１では、基板間ギャップ確保用部分４−１とセル形成部分４−２とに隔壁を分け、それぞれ幅の異なる例を示したが、これらの隔壁部分はすべて同じ幅でもよく、又、すべての隔壁部分で接着してもよい。
【００３７】
次に、上述した本発明の情報表示用パネルの製造方法で作製される情報表示用パネルのパネル構成についての好適例について説明する。
【００３８】
本発明の対象となる情報表示用パネルの好適例として、Ｒ：赤色、Ｇ：緑色、Ｂ：青色、または、Ｃ：シアン色、Ｍ：マゼンタ色、Ｙ：黄色の各３色のカラーフィルターを各画素に配置し、この３画素をもって、表示単位画素を構成する、あるいは、この３画素と隣接する別の、カラーフィルターを配置しない１画素（透明フィルター）との４画素をもって、表示単位画素を構成し、２×２の画素配列とすることがある。
【００３９】
本発明の対象となる情報表示用パネルでは、カラーフィルター層を、フレキソ印刷法、インクジェット印刷法やフォトリソ法を用いて、フィルム基材面に形成し、カラーフィルター層が、情報表示用パネルの表示面側基板の外側と接するように貼り合せて作製する。
【００４０】
基板間ギャップ確保用として設ける隔壁部分や、セル形成専用の隔壁部分の形成材料としては、ドライフィルムレジスト材が好適に用いられる。一例として、アルフォＮＩＴ２（ニチゴーモートン社製）やＰＤＦ３００（新日鐵化学社製）を使用することができる。形成したい隔壁部分の高さに合せた厚みのドライフィルムレジスト材をパネル基板に積層し、所定形状のフォトマスクを用いてフォトリソ法によってパターニングする。
【００４１】
パネル基板間ギャップ確保用の隔壁部分の幅は、２０μｍ〜１００μｍの範囲とし、セル形成専用の隔壁部分の幅は、５μｍ〜３０μｍの範囲とし、セル形成専用の隔壁部分の幅を、パネル基板間ギャップ確保用の隔壁部分の幅よりも小さくすることが好ましい。
なお、図８〜図１１では、１表示単位を囲む隔壁部分をすべてパネル基板間ギャップ確保用の隔壁部分とした例であるが、もう少し配置密度を小さくすることもできる。
【００４２】
対向して配置する電極とする導電膜の材料として、透明基板側に設けるものとしては、酸化インジウム錫（ＩＴＯ）、酸化インジウム、亜鉛ドープ酸化インジウム（ＩＺＯ）、アルミニウムドープ酸化亜鉛（ＡＺＯ）、アンチモン錫酸化物（ＡＴＯ）、導電性酸化錫、導電性酸化亜鉛等の透明導電金属酸化物類、ポリアニリン、ポリピロール、ポリチオフェン等の透明導電性高分子類が挙げられる。
【００４３】
背面側基板に設ける電極とする導電膜の材料としては、酸化インジウム錫（ＩＴＯ）、酸化インジウム、亜鉛ドープ酸化インジウム（ＩＺＯ）、アルミニウムドープ酸化亜鉛（ＡＺＯ）、アンチモン錫酸化物（ＡＴＯ）、導電性酸化錫、導電性酸化亜鉛等の導電金属酸化物類、ポリアニリン、ポリピロール、ポリチオフェン等の導電性高分子類や、金、銀、銅、アルミニウム、ニッケル、クロム等の金属や、これらの金属を主成分とする合金が挙げられる。背面側基板に設ける導電膜は透明であってもよいし、透明でなくても良い。
【００４４】
パターニングして電極とする導電膜の形成方法としては、上記例示の材料をスパッタリング法、真空蒸着法、ＣＶＤ（化学蒸着）法、塗布法等で薄膜状に形成する方法や金属箔（例えば圧延銅箔）をラミネートする方法、導電剤を溶媒や合成樹脂バインダーに混合して塗布したりする方法が用いられる。パターン形成可能で導電性である上記材料を好適に用いることができる。なお、表示面側電極の厚みは、導電性が確保でき光透過性に支障がなければ良く、０．０１〜１０μｍが好ましく、０．０５〜５μｍがより好ましい。また、背面側電極の厚みは、導電性が確保できれば良く、０．０１〜１０μｍが好ましく、０．０５〜５μｍがより好ましい。
【００４５】
表示面側電極として好適な透明導電性材料は、金属材料に比べて可とう性が小さい。表示面側電極をライン状電極とする場合には、透明電極材中での断線防止のため、金属細線と併用することが好ましい。この金属細線の幅は、１μｍ〜１０μｍとすれば表示視認性の妨げとならないので好ましい。背面側電極は光透過性を考慮する必要がないので電気抵抗が小さく、可とう性にも優れた前記金属材料が好適に用いられる。また、背面側電極厚みは電気抵抗および生産性、コストの観点から、０．０１〜１０μｍに設計される。
【実施例】
【００４６】
まず、以下に示すようにして、黒色表示媒体および白色表示媒体を作製し、それらを用いて実施例１〜１０のカラー情報表示用パネルを作製し、比較した。
【００４７】
（黒色表示媒体：黒色粒子群）
ポリメチルペンテンポリマー（ＴＰＸ−Ｒ１８；三井化学社製）１００重量部と、着色剤としてカ−ボンブラック（スペシャルブラック４：デグッサ社製）５重量部と、二酸化チタン（タイペークＣＲ−９０：石原産業社製）９０重量部と、正帯電の荷電制御剤としてニグロシン化合物（ボントロンＮ０７：オリエント化学製）３重量部、とを２軸混練機により溶融混練し、ジェットミル（ラボジェットミルＩＤＳ−ＬＪ型：日本ニューマチック（株）製）で細かく粉砕し、分級機（ＭＤＳ−２：日本ニュ−マチック工業）を用いて分級し、溶融球状化装置（ＮＲ−１０：日本ニュ−マチック工業）を用いて溶融球状化し、平均粒子径が、９．２μｍの正帯電の黒色粒子群を得た。
【００４８】
（白色表示媒体：白色粒子群）
ポリメチルペンテンポリマー（ＴＰＸ−Ｒ１８；三井化学社製）１００重量部と、着色剤として二酸化チタン（タイペークＣＲ−９０：石原産業社製）１００重量部と、負帯電の荷電制御剤としてフェノール系縮合物（ボントロンＥ８９：オリエント化学製）５重量部とを２軸混練機により溶融混練し、ジェットミル（ラボジェットミルＩＤＳ−ＬＪ型：日本ニューマチック（株）製）で細かく粉砕し、分級機（ＭＤＳ−２：日本ニュ−マチック工業）を用いて分級し、溶融球状化装置（ＭＲ−１０：日本ニュ−マチック工業）を用いて溶融球状化し、平均粒子径が、９．５μｍの負帯電の白色粒子群を得た。
【００４９】
＜実施例１＞
一方の面に画素用透明ＩＴＯ（酸化インジウム錫）電極がパターニングされ、表示媒体を収納するセルを構成するための隔壁が形成された厚さが１００μｍの無色透明なポリエチレンテレフタレートフィルム基板のもう一方の面に、カーボンブラックが配合された厚さ２μｍの黒色レジストフィルムを積層後、露光・現像するフォトリソ法を用いて、３０μｍ幅のリブを、画素を囲むように格子状に配置した黒色遮光材（ブラックマトリックス）を形成した。これとは別に、厚さが１００μｍの無色透明なポリエチレンテレフタレートフィルム基材上に、インクジェット法にて画素サイズ（５０μｍ×１５０μｍ）よりも小面積サイズ（３０μｍ×１３０μｍ）で所定の位置にＲＧＢ三原色のカラーフィルターを形成したカラーフィルターフィルムを準備した。このカラーフィルターフィルムのカラーフィルターの面上に、透明なアクリル系樹脂にシランカップリング剤を配合した接着剤を配置し、黒色遮光材が形成された透明フィルム基板に、黒色遮光材と、カラーフィルターと、画素とのアライメントを取りながら貼り合せて作製したカラーフィルター基板を用いてカラー情報表示用パネルを作製した。
【００５０】
＜実施例２＞
一方の面に画素用透明ＩＴＯ（酸化インジウム錫）電極がパターニングされ、表示媒体を収納するセルを構成するための隔壁が形成された基板として、厚さが２５μｍの無色透明なポリエチレンテレフタレートフィルム基板を用いた以外は実施例１と同様にしてカラー情報表示用パネルを作製した。
【００５１】
＜実施例３＞
一方の面に画素用透明ＩＴＯ電極がパターニングされ、表示媒体を収納するセルを構成するための隔壁が形成された基板として、厚さが２００μｍの無色透明なポリエチレンテレフタレートフィルム基板を用いた以外は実施例１と同様にしてカラー情報表示用パネルを作製した。
【００５２】
＜実施例４＞
一方の面に画素用透明ＩＴＯ電極がパターニングされ、表示媒体を収納するセルを構成するための隔壁が形成された厚さが１００μｍの無色透明なポリエチレンテレフタレートフィルム基板のもう一方の面に、粒子径２５０ｎｍ程度の酸化チタンが配合された厚さ５μｍの白色レジストフィルムを積層後、露光・現像するフォトリソ法を用いて、３０μｍ幅のリブを、画素を囲むように格子状に配置した白色遮光材（ホワイトマトリックス）を形成した。これとは別に、厚さが１００μｍの無色透明なポリエチレンテレフタレートフィルム基材上に、インクジェット法にて画素サイズ（５０μｍ×１５０μｍ）よりも小面積サイズ（４０μｍ×１５０μｍ）で所定の位置にＲＧＢ三原色のカラーフィルターを形成したカラーフィルターフィルムを準備した。このカラーフィルターフィルムのカラーフィルターの面上に、透明なアクリル系樹脂にシランカップリング剤を配合した接着剤を配置し、白色遮光材が形成された透明フィルム基板に、白色遮光材と、カラーフィルターと、画素とのアライメントを取りながら貼り合せて作製したカラーフィルター基板を用いてカラー情報表示用パネルを作製した。
【００５３】
＜実施例５＞
一方の面に画素用透明ＩＴＯ電極がパターニングされ、表示媒体を収納するセルを構成するための隔壁が形成された厚さが１００μｍの無色透明なポリエチレンテレフタレートフィルム基板のもう一方の面に、カーボンブラックが配合された厚さ２μｍの黒色レジストフィルムを積層後、露光・現像するフォトリソ法を用いて、３０μｍ幅のリブを、画素を囲むように格子状に配置した黒色遮光材（ブラックマトリックス）を形成した。これとは別に、厚さが１００μｍの無色透明なポリエチレンテレフタレートフィルム基材上に、フレキソ法にて画素サイズ（５０μｍ×１５０μｍ）よりも小面積サイズ（３０μｍ×１５０μｍ）で所定の位置にＲＧＢ三原色のカラーフィルターを形成したカラーフィルターフィルムを準備した。フレキソインクは、光硬化剤を含んだアクリル樹脂に、ＲＧＢ各色顔料を分散させたものを用いた。このカラーフィルターフィルムのカラーフィルターの面上に、透明なアクリル系樹脂にシランカップリング剤を配合した接着剤を配置し、黒色遮光材が形成された透明フィルム基板に、黒色遮光材と、カラーフィルターと、画素とのアライメントを取りながら貼り合せて作製したカラーフィルター基板を用いてカラー情報表示用パネルを作製した。
【００５４】
＜実施例６＞
一方の面に画素用透明ＩＴＯ電極がパターニングされ、表示媒体を収納するセルを構成するための隔壁が形成された厚さが１００μｍの無色透明なポリエチレンテレフタレートフィルム基板のもう一方の面に、カーボンブラックが配合された厚さ２μｍの黒色レジストフィルムを積層後、露光・現像するフォトリソ法を用いて、３０μｍ幅のリブを、２×２配列された４画素を囲むように格子状に配置した黒色遮光材（ブラックマトリックス）を形成した。これとは別に、厚さが１００μｍの無色透明なポリエチレンテレフタレートフィルム基材上に、インクジェット法にて画素サイズ（１００μｍ×１００μｍ）よりも小面積サイズ（８０μｍ×８０μｍ）で２×２配列の所定位置にＲＧＢ三原色のカラーフィルターを形成したカラーフィルターフィルムを準備した。無色透明のカラーフィルターになる部分にはなにも配置されていないカラーフィルターフィルムのカラーフィルターの面上に、透明なアクリル系樹脂にシランカップリング剤を配合した接着剤を配置し、黒色遮光材が形成された透明フィルム基板に、黒色遮光材と、カラーフィルターと、画素とのアライメントを取りながら貼り合せて作製したカラーフィルター基板を用いてカラー情報表示用パネルを作製した。
【００５５】
＜実施例７＞
一方の面に画素用透明ＩＴＯ電極がパターニングされ、表示媒体を収納するセルを構成するための隔壁が形成された厚さが１００μｍの無色透明なポリエチレンテレフタレートフィルム基板のもう一方の面に、粒子径２５０ｎｍ程度の酸化チタンが配合された厚さ５μｍの白色レジストフィルムを積層後、露光・現像するフォトリソ法を用いて、３０μｍ幅のリブを、２×２配列された４画素を囲むように格子状に配置した白色遮光材（ホワイトマトリックス）を形成した。これとは別に、厚さが１００μｍの無色透明なポリエチレンテレフタレートフィルム基材上に、インクジェット法にて画素サイズ（１００μｍ×１００μｍ）よりも小面積サイズ（９０μｍ×９０μｍ）で２×２配列の所定位置にＲＧＢ三原色のカラーフィルターを形成したカラーフィルターフィルムを準備した。無色透明のカラーフィルターになる部分にはなにも配置されていないカラーフィルターフィルムのカラーフィルターの面上に、透明なアクリル系樹脂にシランカップリング剤を配合した接着剤を配置し、白色遮光材が形成された透明フィルム基板に、白色遮光材と、カラーフィルターと、画素とのアライメントを取りながら貼り合せて作製したカラーフィルター基板を用いてカラー情報表示用パネルを作製した。
【００５６】
＜実施例８＞
白黒表示を行える情報表示用パネルの表示面側基板である、厚さ１００μｍの無色透明なポリエチレンテレフタレートフィルム基板面に、カーボンブラックが配合された厚さ２μｍの黒色レジストフィルムを積層後、露光・現像するフォトリソ法を用いて、３０μｍ幅のリブを、画素を囲むように格子状に配置した黒色遮光材（ブラックマトリックス）を形成した。これとは別に、厚さが１００μｍの無色透明なポリエチレンテレフタレートフィルム基材上に、フレキソ法にて画素サイズ（５０μｍ×１５０μｍ）よりも小面積サイズ（３０μｍ×１５０μｍ）で所定の位置にＲＧＢ三原色のカラーフィルターを形成したカラーフィルターフィルムを準備した。フレキソインクは、光硬化剤を含んだアクリル樹脂に、ＲＧＢ各色顔料を分散させたものを用いた。このカラーフィルターフィルムのカラーフィルターの面上に、透明なアクリル系樹脂にシランカップリング剤を配合した接着剤を配置し、黒色遮光材が形成された情報表示用パネルの表示面側基板に、黒色遮光材と、カラーフィルターと、画素とのアライメントを取りながら貼り合せてカラー情報表示用パネルを作製した。
【００５７】
＜実施例９＞
白黒表示を行える情報表示用パネルの表示面側基板である、厚さ７００μｍの無色透明なガラス基板の一方の面に、カーボンブラックが配合された厚さ２μｍの黒色レジストフィルムを積層後、露光・現像するフォトリソ法を用いて、３０μｍ幅のリブを、画素を囲むように格子状に配置した黒色遮光材（ブラックマトリックス）を形成した。これとは別に、厚さが１００μｍの無色透明なポリエチレンテレフタレートフィルム基材上に、フレキソ法にて画素サイズ（５０μｍ×１５０μｍ）よりも小面積サイズ（３０μｍ×１５０μｍ）で所定の位置にＲＧＢ三原色のカラーフィルターを形成したカラーフィルターフィルムを準備した。フレキソインクは、光硬化剤を含んだアクリル樹脂に、ＲＧＢ各色顔料を分散させたものを用いた。このカラーフィルターフィルムのカラーフィルターの面上に、透明なアクリル系樹脂にシランカップリング剤を配合した接着剤を配置し、黒色遮光材が形成されたガラス基板面に、黒色遮光材と、カラーフィルターと、画素とのアライメントを取りながら貼り合せて作製したカラーフィルター基板を用いてカラー情報表示用パネルを作製した。
【００５８】
＜実施例１０＞
厚さが７００μｍの無色透明なガラス基板の一方の面に、粒子径２５０ｎｍ程度の酸化チタンが配合された厚さ５μｍの白色レジストフィルムを積層後、露光・現像するフォトリソ法を用いて、３０μｍ幅のリブを、画素を囲むように格子状に配置した白色遮光材（ホワイトマトリックス）を形成後、その上に透明画素電極をパターニングし、さらに表示媒体を収納するセルを構成するための隔壁を形成して観察側の透明ガラス基板とした。  これとは別に、厚さが１００μｍの無色透明なポリエチレンテレフタレートフィルム基材上に、インクジェット法にて画素サイズ（５０μｍ×１５０μｍ）と同じサイズ（５０μｍ×１５０μｍ）で所定の位置にＲＧＢ三原色のカラーフィルターを形成したカラーフィルターフィルムを準備した。このカラーフィルターフィルムのカラーフィルターの面上に、透明なアクリル系樹脂にシランカップリング剤を配合した接着剤を配置し、白色遮光材を形成されたガラス基板面に、カラーフィルターと、白色遮光材と、画素とのアライメントを取りながら貼り合せて作製したカラーフィルター基板を用いてカラー情報表示用パネルを作製した。
【００５９】
作製した実施例１〜１０のカラー情報表示用パネルに対し、カラーフィルターフィルムのアライメント状態を調べるとともに、テストパターン表示状態の目視評価を行った。目視観察案は正面からと斜め４５度方向からの２通りで行った。結果を以下の表１に示す。
【００６０】
【表１】
2010145532.tif 000003
【００６１】
表１の結果から、実施例１〜８に係るカラー情報表示用パネルは、カラーフィルターフィルムのアライメント状態およびテストパターン表示状態が共に良好であるのに対し、実施例９、１０に係るカラー情報表示用パネルは、カラーフィルターフィルムのアライメント状態が良好であり、テストパターン表示状態が、実施例１〜８のものに比べると斜め４５度からの視認性において混色が見られ、これは実施例９、１０のものは基板厚みが７００μｍと厚いためだと考えられる。
【産業上の利用可能性】
【００６２】
本発明の製造対象となるカラー情報表示用パネルは、ノートパソコン、電子手帳、ＰＤＡ（Personal Digital Assistants ）と呼ばれる携帯型情報機器、携帯電話、ハンディターミナル等のモバイル機器の表示部、電子書籍、電子新聞、電子マニュアル（電子取扱説明書）等の電子ペーパー、看板、ポスター、黒板やホワイトボード等の掲示板、電子卓上計算機、家電製品、自動車用品等の表示部、ポイントカード、ＩＣカード等のカード表示部、電子広告、情報ボード、電子ＰＯＰ（Point Of Presence 、Point Of Purchase advertising ）、電子値札、電子棚札、電子楽譜、ＲＦ−ＩＤ機器の表示部のほか、ＰＯＳ端末、カーナビゲーション装置、時計など様々な電子機器の表示部を構成するカラー情報表示用パネルとして好適に用いられる他、外部表示書換手段と接続した表示書き換えを行うリライタブルペーパー型のカラー情報表示用パネルにも好適に用いられる。
【図面の簡単な説明】
【００６３】
【図１】（ａ）、（ｂ）はそれぞれ本発明の製造対象となる帯電粒子移動方式の情報表示用パネルの構成の一例を示す図である。
【図２】（ａ）、（ｂ）はそれぞれ本発明の製造対象となる帯電粒子移動方式の情報表示用パネルの他の構成例を示す図である。
【図３】（ａ）〜（ｃ）はそれぞれ本発明の第１発明に係るカラー情報表示用パネルの製造方法の一例を説明するための図である。
【図４】（ａ）〜（ｃ）はそれぞれ本発明の第２発明に係るカラー情報表示用パネルの製造方法の他の例を説明するための図である。
【図５】（ａ）〜（ｃ）はそれぞれ本発明の第１発明に係るカラー情報表示用パネルの製造方法の一例を説明するための図である。
【図６】（ａ）〜（ｃ）はそれぞれ本発明の第１発明に係るカラー情報表示用パネルの製造方法の他の例を説明するための図である。
【図７】（ａ）、（ｂ）はそれぞれ従来例のカラー情報表示用パネルの一例および本発明例のカラー情報表示用パネルの一例を対比説明するための図である。
【図８】（ａ）〜（ｃ）はそれぞれ本発明のカラー情報表示用パネルの製造方法で作製されたカラー情報表示用パネルのパネル構成の一例を説明するための図である。
【図９】（ａ）〜（ｃ）はそれぞれ本発明のカラー情報表示用パネルの製造方法で作製されたカラー情報表示用パネルのパネル構成の他の例を説明するための図である。
【図１０】（ａ）、（ｂ）はそれぞれ本発明のカラー情報表示用パネルの製造方法で作製されたカラー情報表示用パネルのパネル構成のさらに他の例を説明するための図である。
【図１１】（ａ）、（ｂ）はそれぞれ本発明のカラー情報表示用パネルの製造方法で作製されたカラー情報表示用パネルのパネル構成のさらに他の例を説明するための図である。
【符号の説明】
【００６４】
１、２  基板
３Ｗ  白色表示媒体
３Ｗａ  負帯電性白色粒子
３Ｂ  黒色表示媒体
３Ｂａ  正帯電性黒色粒子
４  隔壁
４−１  基板間ギャップ確保用部分
４−２  セル形成用部分
５、６  電極
１１  透明フィルム基材
１２Ｒ  赤色カラーフィルター
１２Ｇ  緑色カラーフィルター
１２ＢＬ  青色カラーフィルター
１３  カラーフィルターフィルム
１４  リブ状黒色遮光材
１５  透明接着剤
１６  リブ状白色遮光材
１７  隔壁
２１  接着剤
【図１】
2010145532.tif 000004
【図２】
2010145532.tif 000005
【図３】
2010145532.tif 000006
【図４】
2010145532.tif 000007
【図５】
2010145532.tif 000008
【図６】
2010145532.tif 000009
【図７】
2010145532.tif 000010
【図８】
2010145532.tif 000011
【図９】
2010145532.tif 000012
【図１０】
2010145532.tif 000013
【図１１】
2010145532.tif 000014